(57)【要約】  本発明は、ユーザ機器が基地局間で切り替えて、且つネットワークの負荷を向上させることを実現するための基地局間の切り替え方法を開示している。前記方法は、第1基地局が自身に隣接する基地局に切り替え要求メッセージを送信すること（401）と、隣接基地局が切り替え要求メッセージにおける情報基づいて切り替えを受けるか否かを判断して、判断結果を要求応答メッセージによって第1基地局に送信すること（402）と、第1基地局が切り替えを受けできる隣接基地局から1つのターゲット基地局を決めて、ターゲット基地局に切り替え確認メッセージを送信すること（403）と、ターゲット基地局が切り替え確認メッセージを受信した後、ユーザ機器に資源を割り当て、割り当てた資源を切り替え応答確認メッセージによって第1基地局に送信すること（404）と、第1基地局が切り替え応答確認メッセージを受信した後、ユーザ機器に対しターゲット基地局に切り替えるのを指示すること（405）を含む。本発明はまた前記方法を実現する装置を開示している。【選択図】図４
2012530426.tif 000002
【特許請求の範囲】
【請求項１】
基地局間の切り替え方法であって、
第1基地局は、それに隣接する基地局に切り替え要求メッセージを送信することと、
前記隣接基地局は、前記切り替え要求メッセージに基づいて切り替えを受けるか否かを判断して、判断結果を要求応答メッセージによって前記第1基地局に送信することと、
前記第1基地局は、決切り替えを受けできる隣接基地局から1つのターゲット基地局を決め、前記ターゲット基地局に切り替え確認メッセージに送信することと、
前記ターゲット基地局は、確認された前記切り替えメッセージを受信した後に、ユーザ機器に資源を割り当て、割り当てた資源を確認された切り替え応答メッセージによって前記第1基地局に送信することと、及び
前記第1基地局は、確認された前記切り替え応答メッセージを受信した後に、前記ユーザ機器に対して前記ターゲット基地局に切り替えることを指示することを含む。
【請求項２】
前記隣接基地局が判断結果を要求応答メッセージによって第1基地局に送信するステップでは、
判断結果が切り替えを受ける場合であると、隣接基地局が第1基地局に切り替え応答を受ける指令を送信すること、及び
判断結果が切り替えを受けできない場合であると、隣接基地局が第1基地局に切り替え応答を断る指令を送信し、或いは応答しないことを含む請求項1に記載の基地局間の切り替え方法。
【請求項３】
前記第1基地局が切り替えを受けできる隣接基地局から1つのターゲット基地局を決めるステップでは、
前記第1基地局が切り替えを受けできる隣接基地局から、最初に、切り替えを受信する要求応答メッセージを送信する隣接基地局を、ターゲット基地局として決めること、或いは、
前記第1基地局が切り替えを受けできる隣接基地局から、要求応答メッセージの信号品質が最良である隣接基地局をターゲット基地局として決めることを含む請求項1又は2に記載の基地局間の切り替え方法。
【請求項４】
前記第1基地局が切り替えを受けできる隣接基地局から、要求応答メッセージの信号品質が最良である隣接基地局をターゲット基地局として決めるステップでは、
前記第1基地局が最初に受信したn1個の要求応答メッセージから信号品質が最良で、且つ切り替えを受けることを表す要求応答メッセージを決めて、決まった要求応答メッセージが対応する隣接基地局をターゲット基地局として、その中、n1が予め設定したパラメータ値であること、或いは
前記第1基地局が最初に受信したn2個の切り替えを受けることを表す要求応答メッセージから信号品質が最良である要求応答メッセージを決めて、決まった要求応答メッセージが対応する隣接の基地局をターゲット基地局として、その中、n2が予め設定したパラメータ値であることを含む請求項3に記載の基地局間の切り替え方法。
【請求項５】
前記切替確認メッセージがユーザ機器の標識を含む請求項１に記載の基地局間の切り替え方法。
【請求項６】
前記隣接基地局が前記切り替え要求メッセージに基づいて切り替えを受けるか否かを判断するステップでは、
前記隣接基地局が前記切り替え要求メッセージを受信した後に、ローカル負荷が予め設定した負荷しきい値に達するか否かを判断し、達する場合に、切り替えを断り、達しない場合に、切り替えを受けることと、
前記隣接基地局が前記切り替え要求メッセージを受信した後に、ローカルがユーザ機器に必要な業務を提供するか否かを判断し、提供する場合に、切り替えを受け、提供しない場合に、切り替えを断ることと、
前記隣接基地局が前記切り替え要求メッセージを受信した後に、ローカルにおける利用可能な資源がユーザ機器の需要を満たすか否かを判断し、満たす場合に、切り替えを受け、満たさない場合に、切り替えを断ることと、或いは
前記隣接基地局が前記切り替え要求メッセージを受信した後に、ユーザ機器がローカルで作業する能力を有するか否かを判断し、有する場合に、切り替えを受け、有しない場合に、切り替えを断ることを含む請求項1に記載の基地局間の切り替え方法。
【請求項７】
基地局であって、
隣接基地局に切り替え要求メッセージを送信し、さらに、隣接基地局より返った、切り替えを受けるか否かの判断結果を含む要求応答メッセージを受信するように設置される基地局インタフェースモジュールと、
切り替えを受けできる隣接基地局から1つのターゲット基地局を決めるとともに、基地局インタフェースモジュールによってターゲット基地局に切り替え確認メッセージを送信するように設置される選択モジュールと
基地局インタフェースモジュールが割り当てた資源を含む切り替え応答確認メッセージを受信した後に、ユーザ機器に対し、ユーザ機器がターゲット基地局に切り替えることを指示するための切り替え指示メッセージを送信するように設置されるユーザインタフェースモジュールとを備える。
【請求項８】
前記基地局インタフェースモジュールが、さらに、切り替え要求メッセージを受信するように設置され、
さらに、
切り替え要求メッセージに基づいて切り替えを受けるか否かを判断して、前記基地局インタフェースモジュールによって切り替え要求メッセージを送信する基地局に要求応答メッセージを送信するように設置される判断モジュール、及び
前記基地局インタフェースモジュールが切り替え確認メッセージを受信した後に、ユーザ機器に資源を割り当て、基地局インタフェースモジュールによって切り替え要求メッセージを送信する基地局に割り当てた資源を含む切り替え応答確認メッセージを送信するように設置される割り当てモジュールを備える請求項7に記載の基地局。
【請求項９】
前記判断モジュールは、
判断結果が切り替えを受ける場合には、前記基地局インタフェースモジュールによって切り替え要求メッセージを送信する基地局に切り替えを受ける応答指令を送信し、
判断結果が切り替えを受けできない場合には、前記基地局インタフェースモジュールによって切り替え要求メッセージを送信する基地局に切り替えを断る応答指令を送信し、或いは応答しないことにより、前記基地局インタフェースモジュールによって切り替え要求メッセージを送信する基地局に要求応答メッセージを送信するように設置されるものである請求項8に記載の基地局。
【請求項１０】
前記選択モジュールは、
切り替えを受けできる隣接基地局から1つのターゲット基地局を決めて、
切り替えを受けできる隣接基地局から最初に切り替えを受信する要求応答メッセージを送信する隣接基地局をターゲット基地局として決めて、或いは
切り替えを受けできる隣接基地局から要求応答メッセージの信号品質が最良である隣接基地局をターゲット基地局として決めるように設置されるものである請求項7、8又は9に記載の基地局。
【請求項１１】
選択モジュールは、
切り替えを受けできる隣接基地局から要求応答メッセージの信号品質が最良である隣接基地局をターゲット基地局として決めて、
最初に受信したn1個の要求応答メッセージから信号品質が最良で、且つ、切り替えを受けることを表す要求応答メッセージを決めて、決まった要求応答メッセージが対応する隣接基地局を隣接基地局として、その中、n1が予め設定したパラメータ値であり、或いは
最初に受信したn2個の切り替えを受けることを表す要求応答メッセージから信号品質が最良である要求応答メッセージを決めて、決まった要求応答メッセージが対応する隣接基地局を隣接基地局として、その中、n2が予め設定したパラメータ値であるように設置されるものである請求項10に記載の基地局。
【請求項１２】
基地局であって、
切り替え要求メッセージを受信するように設置される基地局インタフェースモジュール、
切り替え要求メッセージにおける情報に基づいて切り替えを受けるか否かを判断して、基地局インタフェースモジュールによって切り替え要求メッセージを送信する基地局に要求応答メッセージを送信するように設置される判断モジュール、及び
基地局インタフェースモジュールが切り替え確認メッセージを受信した後に、ユーザ機器に資源を割り当て、基地局インタフェースモジュールによって切り替え要求メッセージを送信する基地局に割り当てた資源を含む切り替え応答確認メッセージを送信するように設置される割り当てモジュールを備える。
【発明の詳細な説明】
【技術分野】
【０００１】
本発明は通信分野に関し、特に基地局間の切り替え方法及び装置に関する。
【背景技術】
【０００２】
無線通信システムにおいて、それぞれの基地局のカバーエリアは、基本的に固定であるが、通常、ユーザ機器（UE）が移動中にあるため、UEの信号の連続性を保証するために、UEは常に複数の基地局の間で切り替える必要がある。
【０００３】
従来の技術の切替過程は、ソース基地局がUEにより報告した隣接基地局に対する計測結果に基づいて、その中から1つの切り替え可能なターゲット基地局を選択してターゲット基地局に切り替え要求を送信する。ターゲット基地局は、切り替え要求に基づいてUEに資源を割り当て、ソース基地局に応答情報を戻す。ソース基地局は、応答情報を受信した後、UEに切り替えることを指示する。この過程中に、ターゲット基地局の負荷が飽和に近いて切り替え要求に基づいてUEに資源を割り当てることができなければ、ソース基地局が改めターゲット基地局を選択する必要があるので、UEの切り替えを遅延させ、切り替え効率を低下させる。
【０００４】
この問題を解決するために、従来の技術においては、ソース基地局がUEにより報告した隣接基地局に対する測定結果に基づいて、その中から複数の適切な基地局を選択して適切な基地局に切り替え要求を送信する他の切替過程を提供している。適切な基地局は、切り替え要求に基づいてUEに資源を割り当て、ソース基地局に応答情報を戻す。ソース基地局は、それぞれの適切な基地局によってUEに割り当てた資源の場合に基づいて、複数の適切な基地局から1つのターゲット基地局を選択し、UEがこのターゲット基地局に切り替えることを命令する。この方法は、切り替え効率を向上させるが、すべての適切な基地局は、いずれもUEに資源を割り当てる必要があって、ところが、UEが1つのターゲット基地局に切り替えるしかなく、他の適切な基地局により割り当てられた資源がいずれも浪費されることで、ネットワーク全体の負荷に影響を与える。
【発明の概要】
【発明が解決しようとする課題】
【０００５】
本発明における実施例は、ユーザ機器の基地局間での切り替え、且つ、ネットワークの負荷を向上させることを実現するための基地局間の切り替え方法及び装置を提供する。
【課題を解決するための手段】
【０００６】
基地局の間の切り替え方法であって、
第1基地局は、それに隣接する基地局に切り替え要求メッセージを送信することと、
隣接基地局は、切り替え要求メッセージに基づいて切り替えを受けるか否かを判断して、判断結果を要求応答メッセージによって第1基地局に送信することと、
第1基地局は、決切り替えを受けできる隣接基地局から1つのターゲット基地局を決め、ターゲット基地局に切り替え確認メッセージに送信することと、
ターゲット基地局は、確認された切り替えメッセージを受信した後に、ユーザ機器に資源を割り当て、割り当てた資源を確認された切り替え応答メッセージによって第1基地局に送信することと、及び
第1基地局は、確認された切り替え応答メッセージを受信した後に、ユーザ機器に対してターゲット基地局に切り替えることを指示することを含む。
【０００７】
前記隣接基地局が判断結果を要求応答メッセージによって第1基地局に送信するステップでは、
判断結果が切り替えを受ける場合であると、隣接基地局が第1基地局に切り替え応答を受ける指令を送信すること、及び
判断結果が切り替えを受けできない場合であると、隣接基地局が第1基地局に切り替え応答を断る指令を送信し、或いは応答しないことを含む。
【０００８】
前記第1基地局が切り替えを受けできる隣接基地局から1つのターゲット基地局を決めるステップでは、
前記第1基地局が切り替えを受けできる隣接基地局から、最初に、切り替えを受信する要求応答メッセージを送信する隣接基地局を、ターゲット基地局として決めること、或いは、
前記第1基地局が切り替えを受けできる隣接基地局から、要求応答メッセージの信号品質が最良である隣接基地局をターゲット基地局として決めることを含む。
【０００９】
前記第1基地局が切り替えを受けできる隣接基地局から、要求応答メッセージの信号品質が最良である隣接基地局をターゲット基地局として決めるステップでは、
前記第1基地局が最初に受信したn1個の要求応答メッセージから信号品質が最良で、且つ切り替えを受けることを表す要求応答メッセージを決めて、決まった要求応答メッセージが対応する隣接基地局をターゲット基地局として、その中、n1が予め設定したパラメータ値であること、或いは
前記第1基地局が最初に受信したn2個の切り替えを受けることを表す要求応答メッセージから信号品質が最良である要求応答メッセージを決めて、決まった要求応答メッセージが対応する隣接の基地局をターゲット基地局として、その中、n2が予め設定したパラメータ値であることを含む。
【００１０】
前記切替確認メッセージがユーザ機器の標識を含む。
【００１１】
前記隣接基地局が前記切り替え要求メッセージに基づいて切り替えを受けるか否かを判断するステップでは、
前記隣接基地局が前記切り替え要求メッセージを受信した後に、ローカル負荷が予め設定した負荷しきい値に達するか否かを判断し、達する場合に、切り替えを断り、達しない場合に、切り替えを受けることと、
前記隣接基地局が前記切り替え要求メッセージを受信した後に、ローカルがユーザ機器に必要な業務を提供するか否かを判断し、提供する場合に、切り替えを受け、提供しない場合に、切り替えを断ることと、
前記隣接基地局が前記切り替え要求メッセージを受信した後に、ローカルにおける利用可能な資源がユーザ機器の需要を満たすか否かを判断し、満たす場合に、切り替えを受け、満たさない場合に、切り替えを断ることと、或いは
前記隣接基地局が前記切り替え要求メッセージを受信した後に、ユーザ機器がローカルで作業する能力を有するか否かを判断し、有する場合に、切り替えを受け、有しない場合に、切り替えを断ることを含む。
【００１２】
基地局であって、
隣接基地局に切り替え要求メッセージを送信し、さらに、隣接基地局より返った、切り替えを受けるか否かの判断結果を含む要求応答メッセージを受信するように設置される基地局インタフェースモジュールと、
切り替えを受けできる隣接基地局から1つのターゲット基地局を決めるとともに、基地局インタフェースモジュールによってターゲット基地局に切り替え確認メッセージを送信するように設置される選択モジュールと
基地局インタフェースモジュールが割り当てた資源を含む切り替え応答確認メッセージを受信した後に、ユーザ機器に対し、ユーザ機器がターゲット基地局に切り替えることを指示するための切り替え指示メッセージを送信するように設置されるユーザインタフェースモジュールとを備える。
【００１３】
前記基地局インタフェースモジュールが、さらに、切り替え要求メッセージを受信するように設置され、
前記基地局は、さらに、
切り替え要求メッセージに基づいて切り替えを受けるか否かを判断して、前記基地局インタフェースモジュールによって切り替え要求メッセージを送信する基地局に要求応答メッセージを送信するように設置される判断モジュール、及び
前記基地局インタフェースモジュールが切り替え確認メッセージを受信した後に、ユーザ機器に資源を割り当て、基地局インタフェースモジュールによって切り替え要求メッセージを送信する基地局に割り当てた資源を含む切り替え応答確認メッセージを送信するように設置される割り当てモジュールを備える。
【００１４】
前記判断モジュールは、
判断結果が切り替えを受ける場合には、前記基地局インタフェースモジュールによって切り替え要求メッセージを送信する基地局に切り替えを受ける応答指令を送信し、
判断結果が切り替えを受けできない場合には、前記基地局インタフェースモジュールによって切り替え要求メッセージを送信する基地局に切り替えを断る応答指令を送信し、或いは応答しないことにより、前記基地局インタフェースモジュールによって切り替え要求メッセージを送信する基地局に要求応答メッセージを送信するように設置されるものである。
【００１５】
前記選択モジュールは、
切り替えを受けできる隣接基地局から1つのターゲット基地局を決めて、
切り替えを受けできる隣接基地局から最初に切り替えを受信する要求応答メッセージを送信する隣接基地局をターゲット基地局として決めて、或いは
切り替えを受けできる隣接基地局から要求応答メッセージの信号品質が最良である隣接基地局をターゲット基地局として決めるように設置されるものである。
【００１６】
選択モジュールは、
切り替えを受けできる隣接基地局から要求応答メッセージの信号品質が最良である隣接基地局をターゲット基地局として決めて、
最初に受信したn1個の要求応答メッセージから信号品質が最良で、且つ、切り替えを受けることを表す要求応答メッセージを決めて、決まった要求応答メッセージが対応する隣接基地局を隣接基地局として、その中、n1が予め設定したパラメータ値であり、或いは
最初に受信したn2個の切り替えを受けることを表す要求応答メッセージから信号品質が最良である要求応答メッセージを決めて、決まった要求応答メッセージが対応する隣接基地局を隣接基地局として、その中、n2が予め設定したパラメータ値であるように設置されるものである。
【００１７】
基地局であって、
切り替え要求メッセージを受信するように設置される基地局インタフェースモジュール、
切り替え要求メッセージにおける情報に基づいて切り替えを受けるか否かを判断して、基地局インタフェースモジュールによって切り替え要求メッセージを送信する基地局に要求応答メッセージを送信するように設置される判断モジュール、及び
基地局インタフェースモジュールが切り替え確認メッセージを受信した後に、ユーザ機器に資源を割り当て、基地局インタフェースモジュールによって切り替え要求メッセージを送信する基地局に割り当てた資源を含む切り替え応答確認メッセージを送信するように設置される割り当てモジュールを備える。
【００１８】
本発明において、それぞれの隣接基地局は、単に切り替えを受けできるか否かを判断すれば良く、このとき、資源を割り当てる必要がない。ソース基地局は、切り替えを受けできる隣接基地局から1つのターゲット基地局を決めて、このターゲット基地局がUEに資源を割り当てる。このように、切り替え効率を保証しているだけでなく、ターゲット基地局以外の隣接基地局の資源を節約していることで、ネットワークシステム全体の負荷能力を向上させる。
【図面の簡単な説明】
【００１９】
【図１】本発明の実施例におけるネットワークシステムの構成図である。
【図２】本発明の実施例におけるソース基地局の構成図である。
【図３】本発明の実施例における隣接基地局の構成図である。
【図４】本発明の実施例における基地局間で切り替えの主要方法フローチャートである。
【図５】本発明の実施例におけるソース基地局が最初に受信した切り替えを受ける切り替え応答確認メッセージに基づいてターゲット基地局を決める際の切り替え方法のフローチャートである。
【図６】本発明の実施例におけるソース基地局が信号品質が最良である切り替え応答確認メッセージに基づいてターゲット基地局を決める際の切り替える方法のフローチャートである。
【発明を実施するための形態】
【００２０】
本発明の実施例において、第1基地局が隣接基地局に切り替え要求メッセージを送信した後に、隣接基地局は、単に切り替えを受取るか否かを返答すればよく、このとき、UEに資源を割り当てる必要がない。第1基地局は、切り替えを受けできる隣接基地局からターゲット基地局として1つの基地局を決めて、このターゲット基地局によりUEに資源を割り当てる。第1基地局は、UEに対しターゲット基地局に切り替えることを指示する。第1基地局は、切り替えを受けることができるのを表す隣接基地局からターゲット基地局を選択したので、このターゲット基地局が基本的に切り替えられたUEを負担でき、切り替え効率を保証した。そして、ターゲット基地局のみがUEに資源を割り当て、他の隣接基地局はこのUEに資源を割り当てる必要がないから、この部分の資源を節約して、他の隣接基地局及びネットワーク全体の負荷を向上させる。
【００２１】
図1を参照して、本実施例では、ネットワークシステムは、ソース基地局（すなわち、第1基地局）101とソース基地局に隣接する基地局102を備える。その中、ソース基地局101は、切り替える必要があるUEに対照的なものである。1つのソース基地局101は、複数の隣接基地局102を有することができる。
【００２２】
ソース基地局101は、隣接基地局102に切り替え要求メッセージを送信し、さらに隣接基地局102により返された、切り替えを受けるか否かの判断結果を含む要求応答メッセージを受信すること、切り替えを受けできる隣接基地局102から1つのターゲット基地局を決めて、ターゲット基地局に切り替え確認メッセージを送信すること、及び、割り当てた資源を含む切り替え応答確認メッセージを受信した後に、ユーザ機器に対しユーザ機器がターゲット基地局に切り替えることを指示するための切り替え指示メッセージを送信することに用いられるものである。
【００２３】
隣接基地局102は、切り替え要求メッセージを受信すること、切り替え要求メッセージにおける情報に基づいて切り替えを受けるか否かを判断して、要求応答メッセージをソース基地局101に送信すること、及び、切り替え確認メッセージを受信した後に、ユーザ機器に資源を割り当て、割り当てた資源を含む切り替え応答確認メッセージをソース基地局101に送信することに用いられるものである。
【００２４】
本実施例における基地局は、基地局（Node B）或いは進化型基地局（Evolved Node B、eNB）等であってもよい。
【００２５】
その中で、ソース基地局101は、基地局インタフェースモジュール201、選択モジュール202及びユーザインタフェースモジュール203を備え、図2に示すように参照する。
【００２６】
基地局インタフェースモジュール201は、隣接基地局102に切り替え要求メッセージを送信し、さらに隣接基地局102により返された切り替えを受けるか否かの判断結果を含む要求応答メッセージを送信することに用いられる。その中、切り替え要求メッセージは、ソースセル情報、（切り替える必要がある）UEの標識及びUEが伝送している業務等の情報を備える。
【００２７】
選択モジュール202は、切り替えを受けできる隣接基地局102から1つのターゲット基地局を決めて、切り替え確認メッセージを生成し、基地局インタフェースモジュール201によってターゲット基地局に切り替え確認メッセージを送信することに用いられる。切り替え確認メッセージはUEの標識等を含む。
【００２８】
選択モジュール202は、切り替えを受けできる隣接基地局から最初に、切り替えを受ける要求応答メッセージを送信する隣接基地局をターゲット基地局として決めることができ、或いは、切り替えを受けできる隣接基地局から要求応答メッセージの信号品質が最良である隣接基地局をターゲット基地局として決めることができる。選択モジュール202は、信号の品質が最良である隣接基地局を選択し、多種の実現方式を有し、例えば、切り替えを受けできるすべての隣接基地局から要求応答メッセージの信号品質が最良である隣接基地局をターゲット基地局として決めて、或いは、最初に受信したn1個の要求応答メッセージから信号品質が最良で、且つ、切り替えを受けることを表す要求応答メッセージを決めて、決まった要求応答メッセージが対応する隣接の基地局を隣接基地局として、その中、n1が予め設定したパラメータ値であり、或いは、最初に受信したn2個の切り替えを受けることを表す要求応答メッセージから信号品質が最良である要求応答メッセージを決めて、決まった要求応答メッセージが対応する隣接の基地局を隣接基地局として、その中、n2が予め設定したパラメータ値である。選択モジュール202は、信号品質が最良である要求応答メッセージに基づいてターゲット基地局を決めたと、ソース基地局101は、隣接基地局102が送信した要求応答メッセージを測定するために、図示しないが、さらに測定モジュールを備え、信号品質を取得することに用いられる。
【００２９】
ユーザインタフェースモジュール203は、基地局インタフェースモジュール201が割り当てた資源を含む切り替え応答確認メッセージを受信した後に、ユーザ機器に対しユーザ機器がターゲット基地局に切り替えることを指示するための切り替え指示メッセージを生成して送信することに用いられる。
【００３０】
隣接基地局102は、基地局インタフェースモジュール301、判断モジュール302及び割り当てモジュール303を備え、図3に示すように参照する。
【００３１】
基地局インタフェースモジュール301は切り替え要求メッセージを受信することに用いられる。
【００３２】
判断モジュール302は、切り替え要求メッセージにおける情報に基づいて切り替えを受けるか否かを判断し、要求応答メッセージを生成して基地局インタフェースモジュール301によってソース基地局101に送信することに用いられる。その中、判断結果が切り替えを受ける場合に、基地局インタフェースモジュール301により送信された要求応答メッセージが切り替えを受ける応答指令（ACK）であり、判断結果が切り替えを受けできない場合に、基地局インタフェースモジュール301により送信された要求応答メッセージが切り替えを断る応答指令（NACK）であり或いは応答しない。具体的には、判断モジュール302が切り替えを受け取るか否かを判断する依拠は多種があり、例えばローカル負荷が予め設定した負荷しきい値に達するか否か、達する場合に、切り替えを断り、達しない場合に、切り替えを受け、及び/または切り替え要求メッセージにおける情報に基づいてローカルでこのUEを伝送する業務を担当するか否かを判断し、担当する場合に、切り替えを受け、担当しない場合に、切り替えを断り、及び/またはローカルの利用可能な資源がこのUEの業務需要を満たすか否かを判断し、満たすと、切り替えを受け、満たさないと、切り替えを断り、及び/またはUEがローカルで作業する能力を有するか否かを判断し、有すると、切り替えを受け、有しないと、切り替えを断る。判断モジュール302は、さらに、他の条件に基づいて切り替えを受けるか否かを判断してもよく、ここで一々に挙げなく、切り替え判断に用いられる条件は、いずれも本実施例に適用できる。
【００３３】
割り当てモジュール303は、基地局インタフェースモジュール301が切り替え確認メッセージを受信した後に、ユーザ機器に資源を割り当て、基地局インタフェースモジュール301によって割り当てた資源を含む切り替え応答確認メッセージを生成してソース基地局101に送信することに用いられるものである。具体的には、切り替えメッセージはソースセルの標識とUEの標識等の標識情報を含むことを確認すると、判断モジュール302が切り替え要求メッセージにおける情報を一時的に記憶する必要があって、割り当てモジュール303は、判断モジュール302に一時的に記憶したUEの業務或いは必要な資源に関わる情報に基づいて、UEに資源を割り当てる。切り替えメッセージは、さらにUEの業務等の必要な資源に関わる情報を含むことを確認すると、判断モジュール302は切り替え要求メッセージにおける情報を一時的に記憶しなく、割り当てモジュール303は切り替え確認メッセージの情報によればUEに資源を割り当てることができる。
【００３４】
本実施例において、ソース基地局101と隣接基地局102は同じ基地局であってもよい、互いに全部の機能を含み、異なる場合では異なる役割を果たすだけ。
【００３５】
以上は、ネットワークシステムと基地局の機能及び構成を説明したもので、以上のようにから、UE基地局間の切り替えを理解でき、以下、基地局間の切替過程を方法フローによって詳細に説明する。
【００３６】
図4を参照して、本実施例において、基地局間の切り替えの主な方法フローが以下の通りである。
【００３７】
ステップ401で、第1基地局は、自身に隣接する基地局に切り替え要求メッセージを送信する。
【００３８】
ステップ402で、隣接基地局は、切り替え要求メッセージにおける情報に基づいて切り替えを受けるか否かを判断し、判断結果を要求応答メッセージによって第1基地局に送信する。
【００３９】
ステップ403で、第1基地局は、切り替えを受けできる隣接基地局から1つのターゲット基地局を決めて、ターゲット基地局に切り替え確認メッセージを送信する。
【００４０】
ステップ404で、ターゲット基地局は、切り替え確認メッセージを受信した後、ユーザ機器に資源を割り当て、割り当てた資源を切り替え応答確認メッセージによって第1基地局に送信する。
【００４１】
ステップ405で、第1基地局は、切り替え応答確認メッセージを受信した後、ユーザ機器に対しターゲット基地局に切り替えるのを指示する。
【００４２】
ステップ403等は多種の具体的な実現方式を有するため、以下、2つの実施例によって詳細に説明する。
【００４３】
図5を参照して、本実施例において、ソース基地局は、最初に受信した切り替えを受ける切り替え応答確認メッセージに基づいてターゲット基地局を決める際の切り替え方法フローは、以下の通りである。
【００４４】
ステップ501で、ソース基地局は、UEにより報告された隣接基地局に対する計測結果に基づいて、チャンネル状況が良い複数の隣接基地局を選択する。該複数の隣接基地局の数が予め設定することができ、即ち、チャンネル状況が良いから悪いまでに従って前のM個の隣接基地局を選択する。
【００４５】
ステップ502で、ソース基地局は、選択した複数の隣接基地局に切り替え要求メッセージを送信する。
【００４６】
ステップ503で、隣接基地局は、切り替え要求メッセージにおける情報に基づいて切り替えを受けるか否かを判断し、判断結果を要求応答メッセージによってソース基地局に送信する。要求応答メッセージがACK或いはNACKである。
【００４７】
ステップ504で、ソース基地局は、最初に受信したACKが対応する隣接基地局をターゲット基地局として決める。最初に受信したACKが対応する隣接基地局と最初にACKを送信する隣接基地局は一般的に同一隣接基地局である。
【００４８】
ステップ505で、ソース基地局は、ターゲット基地局に切り替え確認メッセージを送信する。
【００４９】
ステップ506で、ターゲット基地局は、ユーザ機器に資源を割り当てる。
【００５０】
ステップ507で、ターゲット基地局は、割り当てた資源を切り替え応答確認メッセージによってソース基地局に送信する。
【００５１】
ステップ508で、ソース基地局はユーザ機器に対しターゲット基地局に切り替えることを指示する。
【００５２】
図6を参照して、本実施例において、ソース基地局が信号品質が最良である切り替え応答確認メッセージに基づいてターゲット基地局を決める切り替える方法フローは、以下の通りである。
【００５３】
ステップ601で、ソース基地局は複数の隣接基地局に切り替え要求メッセージに送信する。
【００５４】
ステップ602で、隣接基地局は切り替え要求メッセージにおける情報に基づいて切り替えを受けるか否かを判断し、判断結果を要求応答メッセージによってソース基地局に送信する。
【００５５】
ステップ603で、ソース基地局は受信したACKを信号品質の計測を行う。
【００５６】
ステップ604で、ソース基地局は最初に受信したn2個のACK情報から信号品質が最良であるACK及びこのACKが対応する隣接基地局（即ちターゲット基地局）を決める。
【００５７】
ステップ605で、ソース基地局はターゲット基地局に切り替え確認メッセージを送信する。
【００５８】
ステップ606で、ターゲット基地局は、ユーザ機器に資源を割り当てる。
【００５９】
ステップ607で、ターゲット基地局は、割り当てた資源を切り替え応答確認メッセージによってソース基地局に送信する。
【００６０】
ステップ608で、ソース基地局はユーザ機器に対しターゲット基地局に切り替えることを指示する。
【００６１】
本発明における実施例を実現するためのソフトウェアは、フロッピー（登録商標）ディスク、ハードディスク、CD及びフラッシュメモリ等の記憶媒体に記憶することができる。
【００６２】
本発明の実施例において、それぞれの隣接基地局は、切り替えを受けるか否かを判断すれば良く、このとき、資源を割り当てる必要がない。ソース基地局は、切り替えを受けできる隣接基地局から1つのターゲット基地局を決めて、このターゲット基地局がUEに資源を割り当てる。このように、切り替え効率を保証しただけでなく、ターゲット基地局以外の隣接基地局の資源を節約したので、ネットワークシステム全体の負荷能力を向上させる。本発明における実施例はさらに多種のターゲット基地局を決める形態を提供し、特に、信号品質が最良であるターゲット基地局を選択し、切り替え効率をさらに向上させる。
【００６３】
当業者にとっては、本発明の精神と範囲から離れなくて、本発明に対して各種の変更と変形を行うことできることも言うまでもない。このように、本発明に対するこれらの変更と変形は、本発明における請求項及びその相当な技術的範囲に属すれば、これらの改変と変形が本発明に含まれた意味である。
【００６４】
当業者にとっては、上記方法における全部或いは一部のステップがプログラムによって関連ハードウェアに指令して達成することができ、上記プログラムがコンピュータ読み取り可能な記憶媒体、例えば、読み出し専用メモリ、ディスク或いはCD等に記憶されることができることが分るだろう。選択的に、上記実施例における全部或いは一部のステップは、1つ或いは複数の集積回路を用いて実現することもできる。相応的に、上記実施例における各モジュール/ユニットは、ハードウェアの様態で実現しても良く、ソフトウェア機能モジュールの形式で実現しても良い。本発明は、いずれか特定の形式のハードウェアとソフトウェアとの結合に限られない。
【産業上の利用可能性】
【００６５】
本発明は、切り替え効率を保証しているだけでなく、ターゲット基地局以外の隣接基地局の資源を節約していることで、ネットワークシステム全体の負荷能力を向上させる。
【図１】
2012530426.tif 000003
【図２】
2012530426.tif 000004
【図３】
2012530426.tif 000005
【図４】
2012530426.tif 000006
【図５】
2012530426.tif 000007
【図６】
2012530426.tif 000008
【国際調査報告】
2012530426.tif 000009
2012530426.tif 000010
2012530426.tif 000011
2012530426.tif 000012